(57)【特許請求の範囲】
【請求項１】
変倍比が２．５以上の変倍光学系であって、
複数のレンズ群を有し、
前記複数のレンズ群は、物体側から順に、負の屈折力を有する第１レンズ群と、正の屈折力を有する第２レンズ群と、を少なくとも含む４つのレンズ群からなり、
変倍時、前記第１レンズ群は像面に対して固定であり、
以下の条件式（１）及び条件式（２）を満足することを特徴とする変倍光学系。
０．４４≦｜ｆｖ｜／（ｆｗ・ｆｔ）1/2≦０.６1    ・・・（１）
０．５≦｜ｆ１｜／（ｆｗ・ｆｔ）1/2≦１．０５    ・・・（２）
ただし、
ｆｖは主たる変倍作用を有するレンズ群の焦点距離、
ｆ１は前記第１レンズ群の焦点距離、
ｆｗは広角端における前記変倍光学系の焦点距離、
ｆｔは望遠端における前記変倍光学系の焦点距離、
である。
【請求項２】
複数のレンズ群を有し、
前記複数のレンズ群は、物体側から順に、前記第１レンズ群と、前記第２レンズ群と、負の屈折力を有する第３レンズ群と、正の屈折力を有する第４レンズ群とで構成されたことを特徴とする請求項１に記載の変倍光学系。
【請求項３】
前記第１レンズ群は、２つ以下のレンズ成分から成ることを特徴とする請求項１又は２に記載の変倍光学系。
【請求項４】
変倍時、前記第４レンズ群は像面に対して固定であることを特徴とする請求項１から３の何れかに記載の変倍光学系。
【請求項５】
前記主たる変倍作用を有するレンズ群は、前記第２レンズ群であることを特徴とする請求項１から４の何れかに記載の変倍光学系。
【請求項６】
前記第２レンズ群は群全体で物体側に凸形状を有すメニスカス形状であって、
以下の条件式（３）を満足することを特徴とする請求項１から５の何れかに記載の変倍光学系。
−０．６≦（Ｒａ２−Ｒｂ２）／（Ｒａ２＋Ｒｂ２）≦０．２    ・・・（３）
ただし、
Ｒａ２は前記第２レンズ群の最も物体側の面の曲率半径、
Ｒｂ２は前記第２レンズ群の最も像面側の面の曲率半径、
である。
【請求項７】
前記主たる変倍作用を有するレンズ群は、負の屈折力を有するレンズと正の屈折力を有するレンズとを少なくとも１枚ずつ含み、
以下の条件式（４）を満足することを特徴とする請求項１から６の何れかに記載の変倍光学系。
０．０１５≦｜１／Ｖｍｉｎ−１／Ｖｍａｘ｜≦０．０３  ・・・（４）
ただし、
Ｖｍａｘは、前記主たる変倍作用を有するレンズ群に含まれるレンズのアッベ数のなかで、最も大きなアッベ数、
Ｖｍｉｎは、前記主たる変倍作用を有するレンズ群に含まれるレンズのアッベ数のなかで、最も小さいアッベ数であり、
前記アッベ数は（ｎｄ−１）／（ｎＦ−ｎＣ）で表され、
ｎｄ，ｎＣ，ｎＦは各々ｄ線，Ｃ線，Ｆ線の屈折率、
である。
【請求項８】
請求項７に記載の変倍光学系と、
該変倍光学系の最も像側に配置された電子撮像素子と、を備え、
以下の、条件式（５）及び条件式（６）を満足することを特徴とする撮像装置。
０．２≦｜ｆｖ｜／ＩＨ≦１．５      ・・・（５）
１．０≦｜ｆ１｜／ＩＨ≦２．７      ・・・（６）
ただし、
ｆｖは前記主たる変倍作用を有するレンズ群の焦点距離、
ｆ１は前記第１レンズ群の焦点距離、
ＩＨは前記撮像素子の像高、
である。
【発明の詳細な説明】
【技術分野】
【０００１】
本発明は、像高に比して全長を小型化した上で、収差を良好に補正した変倍光学系とそれを有する撮像装置に関する。
【背景技術】
【０００２】
近年、銀塩フィルムカメラに代わり、ＣＣＤ（Charge Coupled Device）やＣＭＯＳ（Complementary Metal-Oxide Semiconductor）のような固体撮像素子を備えたデジタルカメラが主流となっている。それらのデジタルカメラには、業務用高機能タイプのものからコンパクトな普及タイプのものまで様々な種類のものがある。
【０００３】
そして、それらのうち、コンパクトな普及タイプのデジタルカメラは、手軽に撮影を楽しみたいというユーザーの要望もあって、小型化が進んでいる。その結果、服やカバンのポケットなどへの収納性が良く、持ち運びに便利なデジタルカメラが登場している。
【０００４】
そのため、そのようなデジタルカメラに採用される変倍光学系には、より一層の小型化が要求される。しかし、単に小型であるということだけではなく、高い光学性能（収差が良好に補正されていること）も要求されるようになってきた。
【０００５】
このような要求を満たす変倍光学系として、特許文献１に示された変倍光学系がある。特許文献１は、変倍比が３程度の小型の光学系である。
【先行技術文献】
【特許文献】
【０００６】
【特許文献１】特開２００５−１７３３１２号公報
【発明の概要】
【発明が解決しようとする課題】
【０００７】
しかしながら、特許文献１に示された光学系は、像高に比して全長を小型化（短縮化）すること、その上で良好な光学性能を得ることを両立しているとは言い難い。
【０００８】
本発明は、従来技術のこのような問題点に鑑みてなされたものであり、像高に比して全長を小型化した上で、収差を良好に補正した変倍光学系、及びそれを有する撮像装置を提供することを目的とする。なお、像高に比して全長を小型化するとは、（光学全長）／（像高）の値が小さいことをいう。
【課題を解決するための手段】
【０００９】
前記課題を解決するために、本発明による変倍光学系は、変倍比が２．５以上の変倍光学系であって、複数のレンズ群を有し、前記複数のレンズ群は、物体側から順に、負の屈折力を有する第１レンズ群と、正の屈折力を有する第２レンズ群と、を少なくとも含む４つのレンズ群からなり、変倍時、前記第１レンズ群は像面に対して固定であり、以下の条件式（１）及び条件式（２）を満足することを特徴としている。
０．４４≦｜ｆｖ｜／（ｆｗ・ｆｔ）1/2≦０.６1    ・・・（１）
０．５≦｜ｆ１｜／（ｆｗ・ｆｔ）1/2≦１．０５    ・・・（２）
ただし、
ｆｖは主たる変倍作用を有するレンズ群の焦点距離、
ｆ１は前記第１レンズ群の焦点距離、
ｆｗは広角端における前記変倍光学系の焦点距離、
ｆｔは望遠端における前記変倍光学系の焦点距離、
である。
【００１０】
また、本発明の変倍光学系においては、複数のレンズ群を有し、前記複数のレンズ群は、物体側から順に、前記第１レンズ群と、前記第２レンズ群と、負の屈折力を有する第３レンズ群と、正の屈折力を有する第４レンズ群とで構成されていることが好ましい。
また、本発明の変倍光学系においては、前記第１レンズ群は、２つ以下のレンズ成分から成ることが好ましい。
また、本発明の変倍光学系においては、変倍時、前記第４レンズ群は像面に対して固定であることが好ましい。
また、本発明の変倍光学系においては、前記主たる変倍作用を有するレンズ群は、前記第２レンズ群であることが好ましい。
【００１１】
また、本発明の変倍光学系においては、前記第２レンズ群は群全体で物体側に凸形状を有すメニスカス形状であって、以下の条件式（３）を満足することが好ましい。
−０．６≦（Ｒａ２−Ｒｂ２）／（Ｒａ２＋Ｒｂ２）≦０．２    ・・・（３）
ただし、
Ｒａ２は前記第２レンズ群の最も物体側の面の曲率半径、
Ｒｂ２は前記第２レンズ群の最も像面側の面の曲率半径、
である。
【００１２】
また、本発明の変倍光学系においては、前記主たる変倍作用を有するレンズ群は、負の屈折力を有するレンズと正の屈折力を有するレンズとを少なくとも１枚ずつ含み、以下の条件式（４）を満足することが好ましい。
０．０１５≦｜1/Vmin−1/Vmax｜≦０．０３  ・・・（４）
ただし、
Vmaxは、前記主たる変倍作用を有するレンズ群に含まれるレンズのアッベ数のなかで、最も大きなアッベ数、
Vminは、前記主たる変倍作用を有するレンズ群に含まれるレンズのアッベ数のなかで、最も小さいアッベ数であり、
前記アッベ数は（ｎｄ−１）／（ｎＦ−ｎＣ）で表され、
ｎｄ，ｎＣ，ｎＦは各々ｄ線，Ｃ線，Ｆ線の屈折率、
である。
【００１３】
また、本発明の撮像装置は、上記変倍光学系と、該変倍光学系の最も像側に配置された電子撮像素子と、を備え、以下の、条件式（５）及び条件式（６）を満足することを特徴としている。
０．２≦｜ｆｖ｜／ＩＨ≦１．５    ・・・（５）
１．０≦｜ｆ１｜／ＩＨ≦２．７    ・・・（６）
ただし、
ｆｖは前記主たる変倍作用を有するレンズ群の焦点距離、
ｆ１は前記第１レンズ群の焦点距離、
ＩＨは前記撮像素子の像高、
である。
【発明の効果】
【００１６】
本発明の変倍光学系によれば、像高に比しての全長を小型化（短縮化）した上で、収差を良好に補正した変倍光学系、及びそれを有する撮像装置を提供することができる。
【図面の簡単な説明】
【００１７】
【図１】本発明に係る変倍光学系の実施例１のレンズ断面図である。
【図２】実施例１の無限遠合焦時収差図であり、（ａ）は広角端、（ｂ）は中間、（ｃ）は望遠端における状態を示している。
【図３】実施例１の至近合焦時収差図であり、（ａ）は広角端、（ｂ）は中間、（ｃ）は望遠端における状態を示している。
【図４】実施例１のコマ収差図であり、（ａ）は広角端、（ｂ）は中間、（ｃ）は望遠端における状態を示している。
【図５】本発明に係る変倍光学系の実施例２のレンズ断面図である。
【図６】実施例２の無限遠合焦時収差図であり、（ａ）は広角端、（ｂ）は中間、（ｃ）は望遠端における状態を示している。
【図７】実施例２の至近合焦時収差図であり、（ａ）は広角端、（ｂ）は中間、（ｃ）は望遠端における状態を示している。
【図８】実施例２の７割像高コマ収差図であり、（ａ）は広角端、（ｂ）は中間、（ｃ）は望遠端における状態を示している。
【図９】本発明に係る変倍光学系の実施例３のレンズ断面図である。
【図１０】実施例３の無限遠合焦時収差図であり、（ａ）は広角端、（ｂ）は中間、（ｃ）は望遠端における状態を示している。
【図１１】実施例３の至近合焦時収差図であり、（ａ）は広角端、（ｂ）は中間、（ｃ）は望遠端における状態を示している。
【図１２】実施例３の７割像高コマ収差図であり、（ａ）は広角端、（ｂ）は中間、（ｃ）は望遠端における状態を示している。
【図１３】本発明に係る変倍光学系の実施例４のレンズ断面図である。
【図１４】実施例４の無限遠合焦時収差図であり、（ａ）は広角端、（ｂ）は中間、（ｃ）は望遠端における状態を示している。
【図１５】実施例４の７割像高コマ収差図であり、（ａ）は広角端、（ｂ）は中間、（ｃ）は望遠端における状態を示している。
【図１６】本発明に係る変倍光学系の実施例５のレンズ断面図である。
【図１７】実施例５の無限遠合焦時収差図であり、（ａ）は広角端、（ｂ）は中間、（ｃ）は望遠端における状態を示している。
【図１８】実施例５の７割像高コマ収差図であり、（ａ）は広角端、（ｂ）は中間、（ｃ）は望遠端における状態を示している。
【図１９】本発明に係る変倍光学系の実施例６のレンズ断面図である。
【図２０】実施例６の無限遠合焦時収差図であり、（ａ）は広角端、（ｂ）は中間、（ｃ）は望遠端における状態を示している。
【図２１】実施例６の７割像高コマ収差図であり、（ａ）は広角端、（ｂ）は中間、（ｃ）は望遠端における状態を示している。
【図２２】本発明に係る変倍光学系の実施例７のレンズ断面図である。
【図２３】実施例７の無限遠合焦時収差図であり、（ａ）は広角端、（ｂ）は中間、（ｃ）は望遠端における状態を示している。
【図２４】実施例７の７割像高コマ収差図であり、（ａ）は広角端、（ｂ）は中間、（ｃ）は望遠端における状態を示している。
【図２５】本発明に係る変倍光学系の実施例８のレンズ断面図である。
【図２６】実施例８の無限遠合焦時収差図であり、（ａ）は広角端、（ｂ）は中間、（ｃ）は望遠端における状態を示している。
【図２７】実施例８の７割像高コマ収差図であり、（ａ）は広角端、（ｂ）は中間、（ｃ）は望遠端における状態を示している。
【図２８】本発明に係る変倍光学系の実施例９のレンズ断面図である。
【図２９】実施例９の無限遠合焦時収差図であり、（ａ）は広角端、（ｂ）は中間、（ｃ）は望遠端における状態を示している。
【図３０】実施例９の７割像高コマ収差図であり、（ａ）は広角端、（ｂ）は中間、（ｃ）は望遠端における状態を示している。
【図３１】本発明の変倍光学系を組み込んだデジタルカメラの外観を示す前方斜視図である。
【図３２】図３１に示すデジタルカメラの外観を示す後方斜視図である。
【図３３】図３１に示すデジタルカメラの構成を模式的に示した透視図である。
【発明を実施するための形態】
【００１８】
実施例の説明に先立ち、本実施形態の変倍光学系の作用効果について説明する。
本実施形態の変倍光学系は、変倍比が２．５以上の変倍光学系であって、複数のレンズ群を有し、前記複数のレンズ群は、物体側から順に、負の屈折力を有する第１レンズ群と、正の屈折力を有する第２レンズ群と、を少なくとも含む４つのレンズ群からなり、変倍時、前記第１レンズ群は像面に対して固定であり、以下の条件式（１）及び条件式（２）を満足することを特徴とする。
０．４４≦｜ｆｖ｜／（ｆｗ・ｆｔ）1/2≦０.６1    ・・・（１）
０．５≦｜ｆ１｜／（ｆｗ・ｆｔ）1/2≦１．０５    ・・・（２）
ただし、
ｆｖは主たる変倍作用を有するレンズ群の焦点距離、
ｆ１は第１レンズ群の焦点距離、
ｆｗは広角端における変倍光学系の焦点距離、
ｆｔは望遠端における変倍光学系の焦点距離、
である。
【００１９】
変倍時に第１レンズ群が固定であると、光学系の全長も固定となる。このようにすることで、鏡枠の強度を容易に確保することが可能である。その結果、鏡枠の構成を簡素にすることができるので、光学系の小型化が可能である。
また、第１レンズ群の屈折力を強くすることにより、第１レンズ群で形成される像（虚像）の位置を像面側に近づけることが可能になる。また、主たる変倍作用を有するレンズ群の屈折力が十分強いことで、変倍時のレンズ群の移動量を少なくすることができる。しかしながら、第１レンズ群の屈折力や主たる変倍作用を有するレンズ群の屈折力が大きくなると、一般的に諸収差、特に変倍時の球面収差、コマ収差の変動を補正することが困難になる。
【００２０】
そこで、第１レンズ群と主たる変倍群の屈折力は、条件式（１），（２）を満たす。これらの条件式を満足すると、全長が短く、諸収差、特に変倍時の球面収差、コマ収差の変動が良好に補正された光学系が実現可能である。
【００２１】
条件式（１）の下限値を下回ると、変倍時に、球面収差やコマ収差の変動が増大するので望ましくない。一方、条件式（１）の上限値を上回ると、変倍時に、レンズ群の移動量の増大を招くので望ましくない。
条件式（２）の下限値を下回ると、変倍時に、球面収差やコマ収差が増大するので望ましくない。一方、条件式（２）の上限値を上回ると、第１レンズ群で形成される像（虚像）の位置を像面側に近づけることが困難となるので望ましくない。
【００２２】
また、条件式（１），（２）に代えて、それぞれ以下の条件式（１’），（２’）を満足することが好ましい。
０．４４≦｜ｆｖ｜／（ｆｗ・ｆｔ）1/2≦０．５５    ・・・（１’）
０．７≦｜ｆ１｜／（ｆｗ・ｆｔ）1/2≦１．０２      ・・・（２’）
【００２３】
条件式（１’），（２’）を満足すると、像高に比して光学系の全長をより小型化（短縮化）した上で、収差を良好に補正することができる。
【００２４】
本実施形態の変倍光学系は、好ましくは、複数のレンズ群を有し、前記複数のレンズ群は、物体側から順に、負の屈折力を有する第１レンズ群と、正の屈折力を有する第２レンズ群と、負の屈折力を有する第３レンズ群と、正の屈折力を有する第４レンズ群とで構成されている。
【００２５】
本実施形態の変倍光学系は、好ましくは、第１レンズ群は、広角端から望遠端への変倍時や無限撮影から至近撮影に至る撮影時に固定である。
【００２７】
本実施形態の変倍光学系は、好ましくは、第１レンズ群は２つ以下のレンズ成分から成る。
【００２８】
小型な光学系を実現するためには、各群の構成枚数を少なく構成することが好ましい。また、収差を良好に補正しつつ、小型化を図るには、第１レンズ群は多くとも２枚以下で構成されることが望ましい。
【００２９】
本実施形態の変倍光学系は、好ましくは、物体側から順に、負の屈折力を有する第１レンズ群と、正の屈折力を有する第２レンズ群と、負の屈折力を有する第３レンズ群と、正の屈折力を有する第４レンズ群とで構成され、広角端から望遠端への変倍時や無限撮影から至近撮影に至る撮影時において、第１レンズ群及び第４レンズ群は固定されている。
【００３０】
第４レンズ群を固定にすることにより、可動群が第２レンズ群と第３レンズ群のみとなる。このようにすると、鏡枠構造を簡素化できるため小型化が可能となる。さらに、２つの可動群の物体側と像面側に固定群が配置されるので、変倍時の収差変動を低減することが可能となる。その結果、全状態(広角端から望遠端、無限撮影から至近撮影)で良好な光学性能を維持しながら光学系を小型化することが可能である。
【００３１】
また、本実施形態の変倍光学系は、好ましくは、前記主たる変倍作用を有するレンズ群は、前記第２レンズ群である。
また、本実施形態の変倍光学系は、好ましくは、第２レンズ群は群全体で物体側に凸形
状を有すメニスカス形状であって、以下の条件式（３）を満足する。
−０．６≦（Ｒａ２−Ｒｂ２）／（Ｒａ２＋Ｒｂ２）≦０．２    ・・・（３）
ただし、
Ｒａ２は第２レンズ群の最も物体側の面の曲率半径、
Ｒｂ２は第２レンズ群の最も像面側の面の曲率半径、
である。
【００３２】
第２レンズ群は、群全体で物体側に凸のメニスカス形状であることが好ましい。このようにすることで、望遠端において主点位置をより物体側に位置させることができる。その結果、少ない移動量で、大きな変倍を行うことが容易となる。また、光学系の全長を短くするとともに、諸収差、特に変倍時の球面収差、コマ収差の変動を良好に補正することが可能である。
【００３３】
条件式（３）の下限値を下回ると、変倍比を十分に得ることが困難となるので望ましくない。条件式（３）の上限値を上回ると、変倍時に、球面収差やコマ収差の変動が増大するので望ましくない。
【００３４】
また、条件式（３）に代えて、以下の条件式（３’）を満足するのが好ましい。
−０．４５≦（Ｒａ２−Ｒｂ２）／（Ｒａ２＋Ｒｂ２）≦０．０５  ・・・（３’）
【００３５】
条件式（３’）を満足すると、より効果的に光学系の小型化を実現することが可能である。
【００３６】
また、本実施形態の変倍光学系は、好ましくは、主たる変倍作用を有するレンズ群は負の屈折力を有するレンズと正の屈折力を有するレンズとを少なくとも１枚ずつ含み、以下の条件式（４）を満足する。
０．０１５≦｜1/Vmin−1/Vmax｜≦０．０３  ・・・（４）
ただし、
Vmaxは、主たる変倍作用を有するレンズ群に含まれるレンズのアッベ数のなかで、最も大きなアッベ数、
Vminは、主たる変倍作用を有するレンズ群に含まれるレンズのアッベ数のなかで、最も小さいアッベ数であり、
アッベ数は（ｎｄ−１）／（ｎＦ−ｎＣ）で表され、
ｎｄ，ｎＣ，ｎＦは各々ｄ線，Ｃ線，Ｆ線の屈折率、
である。
【００３７】
主たる変倍作用を有するレンズ群は、凸レンズと凹レンズとを、少なくとも1枚ずつ有することが好ましい。このようにすることで、光学系の全長を小さくすることができると共に、諸収差、特に広角端から望遠端にかけて軸上色収差を良好に補正することが可能である。
【００３８】
条件式（４）の下限値を下回ると、収差の補正が不足となるので望ましくない。一方、条件式（４）の上限値を上回ると、軸上の色収差が補正過剰となるので望ましくない。
【００３９】
また、条件式（４）に変えて、以下の条件式（４’）を満足するのが好ましい。
０．０１７≦｜1/Vmin−1/Vmax｜≦０．０２８    ・・・（４’）
【００４０】
条件式（４’）を満足すると、より良好に軸上色収差の補正を行える。そのため、良好な性能を維持しながら、光学系の全長を小型化できる。
【００４１】
また、本実施形態の撮像装置は、変倍比が２．５以上の変倍光学系と変倍光学系の最も像側に配置された電子撮像素子を備え、変倍光学系は、物体側から順に、負の屈折力を有する第１レンズ群と、正の屈折力を有する第２レンズ群とを少なくとも含んでおり、主たる変倍作用を有するレンズ群は凸レンズと凹レンズとを少なくとも一つ以上有し、以下の条件式（４）、条件式（５）及び条件式（６）を満足することを特徴とする。
０．０１５≦｜1/Vmin−1/Vmax｜≦０．０３  ・・・（４）
０．２≦｜ｆｖ｜／ＩＨ≦１．５            ・・・（５）
１．０≦｜ｆ１｜／ＩＨ≦２．７            ・・・（６）
ただし、
ｆｖは主たる変倍作用を有するレンズ群の焦点距離、
ｆ１は第１レンズ群の焦点距離、
ＩＨは撮像素子の像高、
Vmaxは、主たる変倍作用を有するレンズ群に含まれるレンズのアッベ数のなかで、最も大きなアッベ数、
Vminは、主たる変倍作用を有するレンズ群に含まれるレンズのアッベ数のなかで、最も小さいアッベ数であり、
アッベ数は（ｎｄ−１）／（ｎＦ−ｎＣ）で表され、
ｎｄ，ｎＣ，ｎＦは各々ｄ線，Ｃ線，Ｆ線の屈折率、
である。
【００４２】
条件式（４）、（５）及び（６）を満たす場合、全長が短く、諸収差、特に変倍時の球面収差、コマ収差、軸上色収差の変動が良好に補正された光学系が実現可能である。なお、条件式（５）及び（６）において、ＩＨは撮像素子の像高であるが、より詳しくは、ＩＨは撮像素子の撮像面における対角長の半分である。なお、ＩＨとして、撮像素子上に形成される像の高さ（光軸から最大像高までの距離）を用いても良い。
【００４３】
条件式（４）については、上記で説明したとおりである。
条件式（５）の下限値を下回ると、変倍時に、球面収差やコマ収差の変動が増大するので望ましくない。一方、条件式（５）の上限値を上回ると、変倍時に、レンズ群の移動量の増大を招くので望ましくない。
条件式（６）の下限値を下回ると、変倍時に、球面収差やコマ収差が増大するので望ましくない。一方、条件式（６）の上限値を上回ると、第１レンズ群で形成される像（虚像）の位置を像面側に近づけることが困難となるので望ましくない。
【００４４】
また、条件式（４）、（５）及び（６）に代えて、それぞれ以下の条件式（４’）、（５’）及び（６’）を満足するのが好ましい。
０．０１７≦｜1/Vmin−1/Vmax｜≦０．０２８    ・・・（４’）
０．８≦｜ｆｖ｜／ＩＨ≦１．４５    ・・・（５’）
１．８≦｜ｆ１｜／ＩＨ≦２．６５    ・・・（６’）
【００４５】
条件式（４’）、（５’）及び（６’）を満足すると、像高に比して光学系の全長をより小型化（短縮化）した上で、収差を良好に補正することができる。
【００４６】
また、本実施形態の撮像装置では、変倍光学系は、好ましくは、物体側から順に、負の屈折力を有する第１レンズ群と、正の屈折力を有する第２レンズ群と、負の屈折力を有する第３レンズ群と、正の屈折力を有する第４レンズ群とで構成されている。
【００４７】
また、本実施形態の撮像装置は、好ましくは、第１レンズ群は、広角端から望遠端への変倍時や無限撮影から至近撮影に至る撮影時に固定である。
【００４８】
変倍光学系をこのように構成する作用効果は上述のとおりである。
【００４９】
また、本実施形態の撮像装置では、好ましくは、第１レンズ群は２つ以下のレンズ成分から成る。
【００５０】
第１レンズ群をこのように構成する作用効果は上述のとおりである。
【００５１】
また、本実施形態の撮像装置では、変倍光学系は、好ましくは、物体側から順に、負の屈折力を有する第１レンズ群と、正の屈折力を有する第２レンズ群と、負の屈折力を有する第３レンズ群と、正の屈折力を有する第４レンズ群とで構成され、広角端から望遠端への変倍時や無限撮影から至近撮影に至る撮影時において、第１レンズ群及び、第４レンズ群は固定されている。
【００５２】
変倍光学系をこのように構成する作用効果は上述のとおりである。
【００５３】
また、本実施形態の撮像装置は、好ましくは、第２レンズ群は、群全体で物体側に凸形状を有すメニスカス形状であって、以下の条件式（３）を満足する。
−０．６≦（Ｒａ２−Ｒｂ２）／（Ｒａ２＋Ｒｂ２）≦０．２    ・・・（３）
ただし、
Ｒａ２は第２レンズ群の最も物体側の面の曲率半径、
Ｒｂ２は第２レンズ群の最も像面側の面の曲率半径、
である。
【００５４】
また、条件式（３）に代えて、以下の条件式（３’）を満足するのが好ましい。
−０．４５≦（Ｒａ２−Ｒｂ２）／（Ｒａ２＋Ｒｂ２）≦０．０５  ・・・（３’）
【００５５】
第２レンズ群をこのように構成する作用効果、及び条件式（３）、（３’）については、上記で説明したとおりである。
【実施例】
【００５６】
以下、本実施形態の変倍光学系を用いた実施例１〜実施例９について説明する。
実施例１の変倍光学系の断面図を図１に、実施例２の変倍光学系の断面図を図５に、実施例３の変倍光学系の断面図を図９に、実施例４の変倍光学系の断面図を図１３に、実施例５の変倍光学系の断面図を図１６に、実施例６の変倍光学系の断面図を図１９に、実施例７の変倍光学系の断面図を図２２に、実施例８の変倍光学系の断面図を図２５に、実施例９の変倍光学系の断面図を図２８に示す。各図において、（ａ）は広角端、（ｂ）は中間、（ｃ）は望遠端における状態をそれぞれ示している。
【００５７】
以下の実施例において、実施例１から７は、像高２．９ｍｍ、撮像素子の画素ピッチは１．４μｍであり、実施例８及び９は、像高２．２５ｍｍ、撮像素子の画素ピッチは１．４μｍのものであるが、いずれの実施例においても画素ピッチは２．００μｍ、１．７５μｍであってもよい。
望遠端における開口絞り径は、広角端における開口絞り径に比べて大きい。これにより、望遠端において、回折限界による性能の低下を防ぐことが可能である。ただし、実用的な問題が無ければ、開口径は一定であってもよい。
【実施例１】
【００５８】
図１を用いて本実施例の変倍光学系の光学構成を説明する。本実施例の変倍光学系は、全長は１３ｍｍである。
本実施例の変倍光学系は、光軸Ｌｃ上に、物体側より順に負の屈折力を有する第１レンズ群Ｇ１、正の屈折力を有する第２レンズ群Ｇ２、負の屈折力を有する第３レンズ群Ｇ３、正の屈折力を有する第４レンズ群Ｇ４とを、有している。
【００５９】
第１レンズ群Ｇ１は、物体側より順に、物体側に凸面を向けた負メニスカスレンズＬ１１、物体側に凸面を向けた正メニスカスレンズＬ１２とで構成されており、全体で負の屈折力を有している。
【００６０】
第２レンズ群Ｇ２は、物体側より順に、両凸正レンズＬ２１、開口絞りＳ、両凸正レンズＬ２２、両凸正レンズＬ２２と接合された状態にある両凹負レンズＬ２３から構成されており、全体で正の屈折力であり、主な変倍作用を有す。
【００６１】
第３レンズ群Ｇ３は、両凹負レンズＬ３の１枚で構成されている。なお、両凹負レンズＬ３は物体側に凸面を向けた負メニスカスレンズ、もしくは物体側に凹面を向けた負メニスカスレンズであってもよい。
【００６２】
第４レンズ群Ｇ４は、像側に凸面を向けた正メニスカスレンズＬ４の１枚で構成されている。
【００６３】
広角端から望遠端へと変倍する際に、第１レンズ群Ｇ１と第４レンズ群Ｇ４の位置は固定であり、第２レンズ群Ｇ２と第３レンズ群Ｇ３は物体側へ移動する。
無限遠物点より、至近物点への合焦時には、第２レンズ群Ｇ２と、第３レンズ群Ｇ３の両方を移動させてもよい。
【実施例２】
【００６４】
図５を用いて本実施例の変倍光学系の光学構成を説明する。本実施例の変倍光学系は、全長は１３ｍｍである。
本実施例の変倍光学系は、物体側より順に負の屈折力を有する第１レンズ群Ｇ１、正の屈折力を有する第２レンズ群Ｇ２、負の屈折力を有する第３レンズ群Ｇ３、正の屈折力を有する第４レンズ群Ｇ４とを、有している。
【００６５】
第１レンズ群Ｇ１は、物体側より順に、物体側に凸面を向けた負メニスカスレンズＬ１１、物体側に凸面を向けた正メニスカスレンズＬ１２とで構成されており、全体で負の屈折力を有している。
【００６６】
第２レンズ群Ｇ２は、物体側より順に、両凸正レンズＬ２１、開口絞りＳ、両凸正レンズＬ２２、両凸正レンズＬ２２と接合された状態にある両凹負レンズＬ２３から構成されており、全体で正の屈折力であり、主な変倍作用を有す。
【００６７】
第３レンズ群Ｇ３は、物体側に凹面を向けた負メニスカスレンズＬ３の１枚で構成されている。
【００６８】
第４レンズ群Ｇ４は、像側に凸面を向けた正メニスカスレンズＬ４の１枚で構成されている。
【００６９】
広角端から望遠端へと変倍する際に、第１レンズ群Ｇ１と第４レンズ群Ｇ４の位置は固定であり、第２レンズ群Ｇ２と第３レンズ群Ｇ３は物体側へ移動する。
無限遠物点より、至近物点への合焦時には、第２レンズ群Ｇ２と、第３レンズ群Ｇ３の両方を移動させてもよい。
両群を動かすことにより、合焦時の像面湾曲の変動を良好に補正することが可能である。
【実施例３】
【００７０】
図９を用いて本実施例の変倍光学系の光学構成を説明する。本実施例の変倍光学系は、全長は１３．５ｍｍである。
本実施例の変倍光学系は、物体側より順に負の屈折力を有する第１レンズ群Ｇ１、正の屈折力を有する第２レンズ群Ｇ２、負の屈折力を有する第３レンズ群Ｇ３、正の屈折力を有する第４レンズ群Ｇ４とを、有している。
【００７１】
第１レンズ群Ｇ１は、物体側より順に、両凹負レンズＬ１１、両凹負レンズＬ１１と接合された状態にある物体側に凸面を向けた正メニスカスレンズＬ１２とで構成されており、全体で負の屈折力を有している。
Ｌ１２はエネルギー硬化型樹脂であれば、第１レンズ群Ｇ１を薄く加工することができ、変倍時の第２レンズ群Ｇ２の移動量を十分確保できるため、良好な性能を維持しながら全長短縮が可能である。
【００７２】
第２レンズ群Ｇ２は、物体側より順に、両凸正レンズＬ２１、開口絞りＳ、両凸正レンズＬ２２、両凸正レンズＬ２２と接合された状態にある両凹負レンズＬ２３から構成されており、全体で正の屈折力を有している。
【００７３】
第３レンズ群Ｇ３は両凹負レンズＬ３の１枚で構成されている。
【００７４】
第４レンズ群Ｇ４は像側に凸面を向けた正メニスカスレンズＬ４の１枚で構成されている。
【００７５】
広角端から望遠端へと変倍する際に、第１レンズ群Ｇ１と第４レンズ群Ｇ４の位置は固定であり、第２レンズ群Ｇ２は物体側へ移動し、第３レンズ群Ｇ３は中間位置で最も物体側へ移動する。
無限遠物点より、至近物点への合焦時には、第２レンズ群Ｇ２と、第３レンズ群Ｇ３の両方を移動させてもよい。
両群を動かすことにより、合焦時の像面湾曲の変動を良好に補正することが可能である。
【実施例４】
【００７６】
図１３を用いて本実施例の変倍光学系の光学構成を説明する。本実施例の変倍光学系は、全長は１３ｍｍである。
本実施例の変倍光学系は、物体側より順に負の屈折力を有する第１レンズ群Ｇ１、正の屈折力を有する第２レンズ群Ｇ２、負の屈折力を有する第３レンズ群Ｇ３、正の屈折力を有する第４レンズ群Ｇ４とを、有している。
【００７７】
第１レンズ群Ｇ１は、物体側より順に、両凹負レンズＬ１１、両凹負レンズＬ１１と接合された状態にある物体側に凸面を向けた正メニスカスレンズＬ１２とで構成されており、全体で負の屈折力を有している。
Ｌ１２はエネルギー硬化型樹脂であれば、第１レンズ群Ｇ１を薄く加工することができ、変倍時の第２レンズ群Ｇ２の移動量を十分確保できるため、良好な性能を維持しながら全長短縮が可能である。
【００７８】
第２レンズ群Ｇ２は、物体側より順に、両凸正レンズＬ２１、開口絞りＳ、両凸正レンズＬ２２、両凸正レンズＬ２２と接合された状態にある両凹負レンズＬ２３から構成されており、全体で正の屈折力であり、主な変倍作用を有す。
【００７９】
第３レンズ群Ｇ３は両凹負レンズＬ３の１枚で構成されている。
【００８０】
第４レンズ群Ｇ４は像側に凸面を向けた正メニスカスレンズＬ４の１枚で構成されている。
【００８１】
広角端から望遠端へと変倍する際に、第１レンズ群Ｇ１と第４レンズ群Ｇ４の位置は固定であり、第２レンズ群Ｇ２は物体側へ移動し、第３レンズ群Ｇ３は中間位置で最も物体側へ移動する。
無限遠物点より、至近物点への合焦時には、第２レンズ群Ｇ２と、第３レンズ群Ｇ３の両方を移動させてもよい。
両群を動かすことにより、合焦時の像面湾曲の変動を良好に補正することが可能である。
【実施例５】
【００８２】
図１６を用いて本実施例の変倍光学系の光学構成を説明する。本実施例の変倍光学系は、全長は１３ｍｍである。
本実施例の変倍光学系は、物体側より順に負の屈折力を有する第１レンズ群Ｇ１、正の屈折力を有する第２レンズ群Ｇ２、負の屈折力を有する第３レンズ群Ｇ３、正の屈折力を有する第４レンズ群Ｇ４とを、有している。
【００８３】
第１レンズ群Ｇ１は、物体側より順に、両凹負レンズＬ１１、両凹負レンズＬ１１と接合された状態にある物体側に凸面を向けた正メニスカスレンズＬ１２とで構成されており、全体で負の屈折力を有している。
Ｌ１２はエネルギー硬化型樹脂であれば、第１レンズ群Ｇ１を薄く加工することができ、変倍時の第２レンズ群Ｇ２の移動量を十分確保できるため、良好な性能を維持しながら全長短縮が可能である。
【００８４】
第２レンズ群Ｇ２は、物体側より順に、両凸正レンズＬ２１、開口絞りＳ、両凸正レンズＬ２２、両凸正レンズＬ２２と接合された状態にある両凹負レンズＬ２３から構成されており、全体で正の屈折力であり、主な変倍作用を有す。
【００８５】
第３レンズ群Ｇ３は物体側に凸面を向けた負メニスカスレンズＬ３の１枚で構成されている。
【００８６】
第４レンズ群Ｇ４は像側に凸面を向けた正メニスカスレンズＬ４の１枚で構成されている。
【００８７】
広角端から望遠端へと変倍する際に、第１レンズ群Ｇ１と第４レンズ群Ｇ４の位置は固定であり、第２レンズ群Ｇ２と第３レンズ群Ｇ３は物体側へ移動する。
【実施例６】
【００８８】
図１９を用いて本実施例の変倍光学系の光学構成を説明する。本実施例の変倍光学系は、全長は１３．５ｍｍである。
本実施例の変倍光学系は、物体側より順に負の屈折力を有する第１レンズ群Ｇ１、正の屈折力を有する第２レンズ群Ｇ２、負の屈折力を有する第３レンズ群Ｇ３、正の屈折力を有する第４レンズ群Ｇ４とを、有している。
【００８９】
第１レンズ群Ｇ１は、物体側より順に、両凹負レンズＬ１１、両凹負レンズＬ１１と接合された状態にある物体側に凸面を向けた正メニスカスレンズＬ１２とで構成されており、全体で負の屈折力を有している。
Ｌ１２はエネルギー硬化型樹脂であれば、第１レンズ群Ｇ１を薄く加工することができ、変倍時の第２レンズ群Ｇ２の移動量を十分確保できるため、良好な性能を維持しながら全長短縮が可能である。
【００９０】
第２レンズ群Ｇ２は、物体側より順に、両凸正レンズＬ２１、開口絞りＳ、両凸正レンズＬ２２、両凸正レンズＬ２２と接合された状態にある両凹負レンズＬ２３から構成されており、全体で正の屈折力であり、主な変倍作用を有す。
【００９１】
第３レンズ群Ｇ３は両凹負レンズＬ３の１枚で構成されている。
【００９２】
第４レンズ群Ｇ４は像側に凸面を向けた正メニスカスレンズＬ４の１枚で構成されている。
【００９３】
広角端から望遠端へと変倍する際に、第１レンズ群Ｇ１の位置は固定であり、第２レンズ群Ｇ２は物体側へ移動し、第３レンズ群Ｇ３は中間位置で最も物体側へ移動し、第４レンズ群Ｇ４は像側に移動する。
【実施例７】
【００９４】
図２２を用いて本実施例の変倍光学系の光学構成を説明する。本実施例の変倍光学系は、全長は１４ｍｍである。
本実施例の変倍光学系は、物体側より順に負の屈折力を有する第１レンズ群Ｇ１、正の屈折力を有する第２レンズ群Ｇ２、負の屈折力を有する第３レンズ群Ｇ３、正の屈折力を有する第４レンズ群Ｇ４とを、有している。
【００９５】
第１レンズ群Ｇ１は、両凹負レンズＬ１の１枚で構成されている。
【００９６】
第２レンズ群Ｇ２は、物体側より順に、両凸正レンズＬ２１、両凸正レンズＬ２１と接合された状態にある両凹負レンズのＬ２２、開口絞りＳ、両凸正レンズＬ２３、から構成されており、全体で正の屈折力であり、主な変倍作用を有す。
【００９７】
第３レンズ群Ｇ３は、物体側に凸面を向けた負メニスカスレンズＬ３の１枚で構成されている。
【００９８】
第４レンズ群Ｇ４は、像側に凸面を向けた正メニスカスレンズL４の１枚で構成されている。
【００９９】
広角端から望遠端へと変倍する際に、第１レンズ群Ｇ１と第４レンズ群Ｇ４の位置は固定であり、第２レンズ群Ｇ２と第３レンズ群Ｇ３は物体側へ移動する。
【実施例８】
【０１００】
図２５を用いて本実施例の変倍光学系の光学構成を説明する。本実施例の変倍光学系は、全長は１０．１ｍｍである。
本実施例の変倍光学系は、光軸Ｌｃ上に、物体側より順に負の屈折力を有する第１レンズ群Ｇ１、正の屈折力を有する第２レンズ群Ｇ２、負の屈折力を有する第３レンズ群Ｇ３、正の屈折力を有する第４レンズ群Ｇ４とを、有している。
【０１０１】
第１レンズ群Ｇ１は、物体側より順に、両凹負レンズＬ１１、物体側に凸面を向けた正メニスカスレンズＬ１２とで構成されており、全体で負の屈折力を有している。
【０１０２】
第２レンズ群Ｇ２は、物体側より順に、両凸正レンズＬ２１、開口絞りＳ、両凸正レンズＬ２２、両凸正レンズＬ２２と接合された状態にある両凹負レンズＬ２３から構成されており、全体で正の屈折力であり、主な変倍作用を有す。
【０１０３】
第３レンズ群Ｇ３は、両凹負レンズＬ３の１枚で構成されている。
【０１０４】
第４レンズ群Ｇ４は、像側に凸面を向けた正メニスカスレンズＬ４の１枚で構成されている。
【０１０５】
広角端から望遠端へと変倍する際に、第１レンズ群Ｇ１と第４レンズ群Ｇ４の位置は固定であり、第２レンズ群Ｇ２と第３レンズ群Ｇ３は物体側へ移動する。
無限遠物点より、至近物点への合焦時には、第２レンズ群Ｇ２と、第３レンズ群Ｇ３の両方を移動させてもよい。
【実施例９】
【０１０６】
図２８を用いて本実施例の変倍光学系の光学構成を説明する。本実施例の変倍光学系は、全長は１０．１ｍｍである。
本実施例の変倍光学系は、光軸Ｌｃ上に、物体側より順に負の屈折力を有する第１レンズ群Ｇ１、正の屈折力を有する第２レンズ群Ｇ２、負の屈折力を有する第３レンズ群Ｇ３、正の屈折力を有する第４レンズ群Ｇ４とを、有している。
【０１０７】
第１レンズ群Ｇ１は、物体側より順に、物体側に凸面を向けた負メニスカスレンズＬ１１、物体側に凸面を向けた正メニスカスレンズＬ１２とで構成されており、全体で負の屈折力を有している。
【０１０８】
第２レンズ群Ｇ２は、物体側より順に、両凸正レンズＬ２１、開口絞りＳ、両凸正レンズＬ２２、両凸正レンズＬ２２と接合された状態にある両凹負レンズＬ２３から構成されており、全体で正の屈折力であり、主な変倍作用を有す。
【０１０９】
第３レンズ群Ｇ３は、物体側に凸面を向けた負メニスカスレンズＬ３の１枚で構成されている。
【０１１０】
第４レンズ群Ｇ４は、像側に凸面を向けた正メニスカスレンズＬ４の１枚で構成されている。
【０１１１】
広角端から望遠端へと変倍する際に、第１レンズ群Ｇ１と第４レンズ群Ｇ４の位置は固定であり、第２レンズ群Ｇ２と第３レンズ群Ｇ３は物体側へ移動する。
無限遠物点より、至近物点への合焦時には、第２レンズ群Ｇ２と、第３レンズ群Ｇ３の両方を移動させてもよい。
【０１１２】
次に、実施例１〜実施例９のそれぞれについて、変倍光学系を構成する光学部材の数値データを示す。実施例１が、数値実施例１に対応する。実施例２が、数値実施例２に対応する。実施例３が、数値実施例３に対応する。実施例４が、数値実施例４に対応する。実施例５が、数値実施例５に対応する。実施例６が、数値実施例６に対応する。実施例７が、数値実施例７に対応する。実施例８が、数値実施例８に対応する。実施例９が、数値実施例９に対応する。
なお、数値データ及び図面において、ｒは各レンズ面の曲率半径、ｄは各レンズの肉厚または空気間隔、ｎｄは各レンズのｄ線（587.56nm）での屈折率、νｄは各レンズのｄ線（587.56nm）でのアッベ数、＊（アスタリスク）は非球面を表している。長さの単位はｍｍである。
【０１１３】
また、非球面形状は、光軸方向をｚ、光軸に直交する方向をｙにとり、円錐係数をＫ、非球面係数をＡ４、Ａ６、Ａ８、Ａ１０としたとき、次の式（Ｉ）で表される。
ｚ＝（ｙ2／ｒ）／［１＋｛１−（１＋Ｋ）／（ｙ／ｒ）2｝1/2］＋Ａ４ｙ4＋Ａ６ｙ6＋Ａ８ｙ8＋Ａ１０ｙ10  …（Ｉ）
また、Ｅは１０のべき乗を表している。なお、これら諸元値の記号は後述の実施例の数値データにおいても共通である。
【０１１４】
数値実施例１
面データ
単位  mm
面番           r           d          nd        vd      有効径
物面           ∞         ∞
1*        29.7496     0.5421     1.90270    31.00     2.690
2*         2.6180     0.5723                          2.165
3*         3.5600     0.7172     2.10223    16.77     2.185
4*         5.6420       D4                            2.097
5*         2.1763     0.9187     1.59201    67.02     1.427
6*       -44.5379     0.2000                          1.318
7(絞り)      ∞       0.0000                          (可変) 
8*         5.9838     0.6894     1.85135    40.10     1.207
9         -6.5431     0.5215     1.82114    24.06     1.137
10*         5.0933       D10                           1.011
11*        -4.9399     0.4461     1.77377    47.17     1.198
12*        53.6530       D12                           1.427
13*       -14.4249     0.8801     1.82114    24.06     2.808
14*        -5.0670     0.2353                          2.868
15            ∞       0.3000     1.51633    64.14     2.929
16            ∞       0.4000                          2.947
像面           ∞
非球面データ
第1面
K=-224.489,A4=6.10008e-03,A6=-1.22957e-03,A8=5.75218e-05
第2面
K=0.086,A4=-6.58139e-03,A6=3.39688e-03,A8=-7.32903e-04
第3面
K=-6.605,A4=-3.67877e-03,A6=1.95938e-03,A8=-8.93682e-05
第4面
K=-21.342,A4=-4.83678e-03,A6=6.39538e-04,A8=5.70942e-05
第5面
K=-0.989,A4=2.50732e-03,A6=7.21049e-04,A8=3.61962e-04
第6面
K=-791.631,A4=-1.12792e-02,A6=8.93540e-03,A8=-1.87646e-03
第8面
K=4.845,A4=-9.49342e-04,A6=9.01956e-03,A8=-2.80204e-03
第10面
K=-32.788,A4=6.96684e-02,A6=-4.68501e-03,A8=9.73012e-03
第11面
K=-3.112,A4=3.30281e-03,A6=-6.05974e-03,A8=-4.24602e-03
第12面
K=-40363.004,A4=2.29435e-02,A6=-1.24625e-02,A8=9.19254e-04
第13面
K=-1.394,A4=4.97914e-03,A6=-1.14929e-03,A8=9.38867e-05
第14面
K=-2.722,A4=1.16889e-02,A6=-2.73333e-03,A8=1.79573e-04
各種データ
ズーム比       2.850
広角     中間      望遠   広角(至近) 中間(至近) 望遠(至近)
焦点距離       3.754     6.025    10.699
ＦＮＯ．       3.200     4.369     5.200
画角２ω      82.828    51.090    29.527
像高           2.900     2.900     2.900
BＦ           0.833     0.833     0.833
レンズ全長     12.898    12.898    12.898 
物点距離          ∞        ∞        ∞     100.00    500.00    800.00
D4           3.941     2.207     0.200     3.225     2.257     0.483 
D10          1.025     0.863     1.714     0.969     0.883     1.519 
D12          1.611     3.507     4.664     2.384     3.438     4.575 
絞り径         0.987     0.987     1.215
入射瞳位置      3.159     2.655     1.791
射出瞳位置     -6.368   -14.458   -35.576
前側主点位置     4.966     6.304     9.349
後側主点位置    -3.317    -5.641   -10.271
レンズ   始面     焦点距離
L11      1       -3.210
L12      3        7.413
L21      5        3.531
L22      8        3.767
L23      9       -3.419
L3      11       -5.827
L4      13        9.125
ズームレンズ群データ
群  始面   群焦点距離   群構成長  前側主点位置  後側主点位置
G1    1     -5.731        1.832        0.276      -0.873
G2    5      3.191        2.330       -0.304      -1.515
G3   11     -5.827        0.446        0.021      -0.230
G4   13      9.125        0.880        0.715       0.251
群倍率
広角      中間      望遠   広角(至近)  中間(至近)  望遠(至近)
G1       0.000     0.000     0.000     0.054     0.011     0.007
G2      -0.453    -0.600    -0.964    -0.530    -0.602    -0.898
G3       1.553     1.868     2.075     1.689     1.859     2.063
G4       0.932     0.938     0.933     0.930     0.936     0.931
【０１１５】
数値実施例２
面データ
単位  mm
面番           r           d          nd        vd      有効径
物面           ∞         ∞
1*        31.1191     0.5500     1.85135    40.10     2.825
2*         2.5330     0.5132                          2.187
3*         3.1051     0.8424     1.82114    24.06     2.203
4*         5.5712       D4                            2.110
5*         2.0868     1.0720     1.59201    67.02     1.438
6*      -181.2845     0.2000                          1.296
7(絞り)      ∞       0.0000                          (可変) 
8*         5.2934     0.6793     1.85135    40.10     1.161
9         -9.4008     0.4687     1.82114    24.06     1.086
10*         4.3096       D10                           0.980
11*        -4.5361     0.4000     1.77377    47.17     1.185
12*     -4863.2721       D12                           1.405
13*       -15.0779     0.8960     1.82114    24.06     2.787
14*        -4.9623     0.2027                          2.854
15            ∞       0.3000     1.51633    64.14     2.920
16            ∞       0.4000                          2.953
像面           ∞
非球面データ
第1面
K=9.975,A4=5.45942e-03,A6=-1.17913e-03,A8=6.14112e-05
第2面
K=0.028,A4=-5.92450e-03,A6=3.54360e-03,A8=-7.18809e-04
第3面
K=-4.944,A4=-2.93256e-03,A6=2.56724e-03,A8=-1.52620e-04
第4面
K=-16.419,A4=-5.87501e-03,A6=9.32666e-04,A8=4.10944e-05
第5面
K=-0.869,A4=3.97321e-03,A6=4.46620e-04,A8=3.23707e-04
第6面
K=-9645.985,A4=-2.36383e-02,A6=1.14055e-02,A8=-2.04346e-03
第8面
K=-2.017,A4=-1.25319e-02,A6=1.04830e-02,A8=-2.75134e-03
第10面
K=-37.283,A4=8.97816e-02,A6=-2.64567e-02,A8=2.13844e-02
第11面
K=-3.217,A4=3.81585e-03,A6=-1.49213e-02,A8=1.03508e-03
第12面
K=-14369395.106,A4=1.43170e-02,A6=-1.10677e-02,A8=1.12467e-03
第13面
K=-1.990,A4=5.00050e-03,A6=-1.15848e-03,A8=9.16097e-05
第14面
K=-2.578,A4=1.16150e-02,A6=-2.73641e-03,A8=1.80048e-04
各種データ
ズーム比       2.850
広角     中間      望遠   広角(至近) 中間(至近) 望遠(至近)
焦点距離       3.754     6.021    10.699
ＦＮＯ．       3.200     4.384     5.200
画角２ω      82.691    50.978    29.424
像高           2.900     2.900     2.900
BＦ           0.801     0.801     0.801
レンズ全長     12.898    12.898    12.898 
物点距離        ∞        ∞        ∞     100.00    500.00    800.00
D4           3.931     2.208     0.200     3.736     2.222     0.266 
D10          0.964     0.788     1.612     0.981     0.811     1.598 
D12          1.581     3.480     4.663     1.759     3.443     4.612 
絞り径         0.944     0.944     1.173
入射瞳位置      3.288     2.795     1.956
射出瞳位置     -6.289   -14.879   -41.689
前側主点位置     5.061     6.495     9.958
後側主点位置    -3.330    -5.679   -10.344
レンズ   始面     焦点距離
L11      1       -3.268
L12      3        7.403
L21      5        3.492
L22      8        4.064
L23      9       -3.544
L3      11       -5.868
L4      13        8.662
ズームレンズ群データ
群  始面   群焦点距離   群構成長  前側主点位置  後側主点位置
G1    1     -5.825        1.906        0.340      -0.873
G2    5      3.180        2.420       -0.387      -1.600
G3   11     -5.868        0.400       -0.000      -0.226
G4   13      8.662        0.896        0.705       0.232
群倍率
広角      中間      望遠   広角(至近)  中間(至近)  望遠(至近)
G1       0.000     0.000     0.000     0.055     0.012     0.007
G2      -0.450    -0.596    -0.954    -0.486    -0.601    -0.948
G3       1.536     1.844     2.048     1.576     1.842     2.043
G4       0.932     0.941     0.940     0.926     0.939     0.938
【０１１６】
数値実施例３
面データ
単位  mm
面番           r           d          nd        vd      有効径
物面           ∞         ∞
1*       -20.7452     0.4261     1.76802    49.24     2.660
2*         3.1798     0.5199     1.63387    23.38     2.348
3*        11.5413       D3                            2.338
4*         2.5653     0.7836     1.69350    53.21     1.425
5*        -9.5581     0.1627                          1.304
6(絞り)      ∞       0.1056                          (可変) 
7*         6.3829     0.6523     1.77377    47.17     1.173
8        -16.9084     0.3267     1.84666    23.78     1.048
9*         2.6017       D9                            0.900
10*     -1663.5639     0.3688     1.58913    61.14     1.798
11*         9.0733       D11                           1.796
12*        -6.3464     0.7403     1.82114    24.06     2.400
13*        -4.0025     2.2296                          2.510
14            ∞       0.3796     1.51633    64.14     2.909
15            ∞       0.4000                          2.942
像面           ∞
非球面データ
第1面
K=-375.930,A4=-1.15480e-02,A6=2.04009e-03,A8=-2.03463e-04,A10=9.13064e-06
第2面
K=-4.767
第3面
K=19.716,A4=-8.39462e-03,A6=8.74090e-04,A8=-3.16644e-05,A10=-9.08607e-06
第4面
K=-5.335,A4=3.95944e-02,A6=-2.26682e-04,A8=1.21738e-03,A10=-2.20735e-05
第5面
K=-1.433,A4=5.93078e-02,A6=-5.72481e-03,A8=-1.00605e-05,A10=-4.23420e-04
第7面
K=0.827,A4=7.27634e-02,A6=-2.04547e-02,A8=2.74787e-03,A10=-2.76359e-03
第9面
K=3.493,A4=2.51814e-02,A6=-9.44244e-04,A8=-9.17287e-03,A10=-9.81182e-03
第10面
K=0.000,A4=2.01378e-02,A6=2.42834e-03,A8=-6.61110e-04,A10=-3.37042e-05
第11面
K=1.229,A4=2.32836e-02,A6=1.19434e-03,A8=-5.32506e-05,A10=-1.30308e-04
第12面
K=-0.983,A4=3.30959e-03,A6=1.23354e-04
第13面
K=-1.651,A4=-8.10707e-05,A6=-7.42911e-05,A8=1.46926e-05
各種データ
ズーム比       2.849
広角     中間      望遠   広角(至近) 中間(至近) 望遠(至近)
焦点距離       4.521     7.640    12.880
ＦＮＯ．       3.757     4.702     5.248
画角２ω      70.567    43.949    24.572
像高           2.900     2.900     2.900
BＦ           2.880     2.880     2.880
レンズ全長     13.374    13.371    13.371 
物点距離        ∞        ∞        ∞     100.00    500.00    800.00
D3           4.604     2.224     0.151     3.959     2.507     0.265 
D9           0.557     0.550     4.157     0.781     0.549     4.037 
D11          1.247     3.631     2.097     1.665     3.348     2.102 
絞り径         0.900     1.000     1.250
入射瞳位置      3.479     2.544     1.301
射出瞳位置     -4.272   -11.074   -15.850
前側主点位置     5.143     6.001     5.324
後側主点位置    -4.121    -7.240   -12.480
レンズ   始面     焦点距離
L11      1       -3.562
L12      2        6.761
L21      4        2.996
L22      7        6.063
L23      8       -2.643
L3      10      -15.316
L4      12       11.553
ズームレンズ群データ
群  始面   群焦点距離   群構成長  前側主点位置  後側主点位置
G1    1     -7.332        0.946        0.301      -0.251
G2    4      4.054        2.031       -1.113      -1.816
G3   10    -15.316        0.369        0.231      -0.001
G4   12     11.553        3.349        0.963      -1.872
群倍率
広角      中間      望遠   広角(至近)  中間(至近)  望遠(至近)
G1       0.000     0.000     0.000     0.068     0.014     0.009
G2      -0.578    -0.874    -1.579    -0.690    -0.842    -1.551
G3       1.329     1.485     1.385     1.356     1.466     1.385
G4       0.803     0.803     0.803     0.803     0.803     0.803
【０１１７】
数値実施例４
面データ
単位  mm
面番           r           d          nd        vd      有効径
物面           ∞         ∞
1*       -11.1356     0.4975     1.76802    49.24     2.436
2*         4.3635     0.2782     1.68086    20.03     2.161
3*        13.0403       D3                            2.143
4*         2.4354     1.1497     1.69350    53.21     1.500
5*       -10.2972     0.0965                          1.338
6(絞り)      ∞       0.1122                          (可変) 
7*         6.9467     0.6344     1.76802    49.24     1.209
8        -10.0264     0.3871     1.84666    23.78     1.142
9*         2.7369       D9                            1.053
10*     -1593.9529     0.4096     1.58913    61.14     1.938
11*         7.2355       D11                           1.949
12*        -7.0449     1.0575     1.92286    20.88     2.686
13*        -3.9192     0.8750                          2.866
14            ∞       0.3796     1.51633    64.14     2.965
15            ∞       0.4000                          2.977
像面           ∞
非球面データ
第1面
K=-43.263,A4=-1.24712e-02,A6=1.73364e-03,A8=-6.78483e-05
第2面
K=-13.143
第3面
K=11.728,A4=-8.61588e-03,A6=1.31833e-03,A8=3.44649e-05
第4面
K=-1.810,A4=1.47470e-02,A6=1.63827e-03,A8=1.52183e-04
第5面
K=10.732,A4=1.76981e-02,A6=-3.95829e-03,A8=3.18646e-04
第7面
K=-0.652,A4=6.62402e-03,A6=-8.64488e-03,A8=-8.05063e-04
第9面
K=3.404,A4=-4.48263e-03,A6=-5.81944e-03,A8=-5.86170e-03
第10面
K=0.000,A4=6.85162e-03,A6=5.94218e-04
第11面
K=1.002,A4=8.32696e-03,A6=6.31067e-04,A8=-4.05088e-05
第12面
K=-4.931
第13 面
K=-3.651,A4=-2.91002e-03,A6=-8.23036e-05,A8=-3.97711e-07
各種データ
ズーム比       2.846
広角     中間      望遠
焦点距離       4.526     7.640    12.878
ＦＮＯ．       3.590     5.050     5.131
画角２ω      72.782    43.815    24.659
像高           2.900     2.900     2.900
BＦ１.525     1.525     1.525
レンズ全長     12.867    12.873    12.875 
物点距離        ∞        ∞        ∞
D3           4.309     2.213     0.196 
D9           1.296     1.055     4.311 
D11          1.114     3.457     2.220 
絞り径         0.900     0.900     1.250
入射瞳位置      3.292     2.510     1.389
射出瞳位置     -7.123   -23.689   -42.013
前側主点位置     5.450     7.835    10.458
後側主点位置    -4.122    -7.242   -12.481
レンズ   始面     焦点距離
L11      1       -4.026
L12      2        9.508
L21      4        2.949
L22      7        5.431
L23      8       -2.505
L3      10      -12.225
L4      12        8.235
ズームレンズ群データ
群  始面   群焦点距離   群構成長  前側主点位置  後側主点位置
G1    1     -6.977        0.776        0.202      -0.239
G2    4      3.819        2.380       -1.106      -1.918
G3   10    -12.225        0.410        0.257      -0.001
G4   12      8.235        2.312        1.066      -0.532
群倍率
広角      中間      望遠
G1       0.000     0.000     0.000
G2      -0.579    -0.848    -1.536
G3       1.265     1.456     1.355
G4       0.886     0.887     0.887
【０１１８】
数値実施例５
面データ
単位  mm
面番           r           d          nd        vd      有効径
物面           ∞         ∞
1*        -5.6531     0.5000     1.58913    61.14     2.376
2          9.8000     0.2500     1.63494    23.22     2.159
3*        16.8078       D3                            2.137
4*         2.9908     0.9110     1.85135    40.10     1.500
5*       -31.7144     0.1000                          1.355
6(絞り)      ∞       0.1518                          (可変) 
7*         6.6515     0.7500     1.76802    49.24     1.268
8         -4.5000     0.4000     1.84666    23.78     1.185
9*         4.8113       D9                            1.058
10         44.8931     0.5000     1.81474    37.03     1.181
11*         3.8464       D11                           1.268
12        -32.1035     1.3000     1.82114    24.06     2.886
13*        -4.0000     0.4217                          3.000
14            ∞       0.3796     1.51633    64.14     2.961
15            ∞       0.2900                          2.957
像面           ∞
非球面データ
第1面
K=-1.000,A4=-3.19351e-03,A6=2.63420e-04,A8=1.16363e-05
第3面
K=-1.000,A4=-2.77149e-03,A6=2.14794e-04,A8=5.18982e-05
第4面
K=-1.000,A4=1.88539e-03,A6=3.55638e-04
第5面
K=-1.000,A4=5.68662e-03,A6=-7.24378e-04
第7面
K=0.000,A4=1.78188e-02,A6=-8.88828e-04
第9面
K=11.588,A4=2.35797e-02,A6=-1.00377e-04,A8=1.61425e-04
第11面
K=0.000,A4=-1.32598e-03,A6=2.94203e-04,A8=-3.40185e-04
第13面
K=-1.000,A4=5.47362e-03,A6=-6.78501e-04,A8=2.75097e-05
各種データ
ズーム比       2.821
広角     中間      望遠
焦点距離       4.570     7.640    12.890
ＦＮＯ．       3.137     4.383     5.181
画角２ω      72.832    41.710    24.978
像高           2.900     2.900     2.900
BＦ           0.962     0.962     0.962
レンズ全長     12.871    12.871    12.871 
物点距離        ∞        ∞        ∞
D3           4.231     2.167     0.172 
D9           0.758     0.721     1.542 
D11          2.057     4.157     5.332 
絞り径         1.100     1.100     1.300
入射瞳位置      3.165     2.343     1.167
射出瞳位置    -17.126    44.144    18.147
前側主点位置     6.580    11.335    23.725
後側主点位置    -4.280    -7.350   -12.600
レンズ   始面     焦点距離
L11      1       -6.013
L12      2       36.513
L21      4        3.249
L22      7        3.600
L23      8       -2.693
L3      10       -5.192
L4      12        5.451
ズームレンズ群データ
群  始面   群焦点距離   群構成長  前側主点位置  後側主点位置
G1    1     -7.196        0.750        0.116      -0.345
G2    4      3.400        2.313       -0.522      -1.599
G3   10     -5.192        0.500        0.303       0.026
G4   12      5.451        2.101        0.799      -0.573
群倍率
広角      中間      望遠
G1       0.000     0.000     0.000
G2      -0.433    -0.588    -0.897
G3       1.742     2.147     2.373
G4       0.842     0.842     0.842
【０１１９】
数値実施例６
面データ
単位  mm
面番           r          d          nd        vd       有効径
物面           ∞         ∞
1*       -19.3192     0.4988     1.76802    49.24     2.583
2*         3.7522     0.4683     1.63387    23.38     2.307
3*        11.3663       D3                            2.287
4*         2.6413     0.8593     1.69350    53.21     1.473
5*        -9.2555     0.1569                          1.381
6(絞り)      ∞       0.1202                          (可変) 
7*         6.3775     0.6959     1.76802    49.24     1.175
8        -17.7460     0.4046     1.84666    23.78     1.035
9*         2.5760       D9                            0.900
10*     -2150.7307     0.4011     1.58913    61.14     1.778
11*         8.3413       D11                           1.857
12*        -7.5498     0.9821     1.82114    24.06     2.555
13*        -4.0253       D13                           2.724
14            ∞       0.3796     1.51633    64.14     2.944
15            ∞       0.4000                          2.966
像面           ∞
非球面データ
第1面
K=-55.536,A4=-9.05980e-03,A6=1.14637e-03,A8=-5.51750e-05
第2面
K=-5.943
第3面
K=3.375,A4=-8.51272e-03,A6=1.43185e-03,A8=-6.70214e-05
第4面
K=-2.992,A4=1.71186e-02,A6=-1.00737e-03,A8=4.64173e-04
第5面
K=-0.989,A4=8.39214e-03,A6=-8.19252e-04,A8=2.03175e-04
第7面
K=0.788,A4=5.33856e-03,A6=-1.80989e-03,A8=-4.20069e-04
第9面
K=1.499,A4=6.20768e-03,A6=-5.64490e-04,A8=-1.23795e-04
第10面
K=958794.047,A4=1.75804e-03,A6=1.99109e-03,A8=-4.76253e-04
第11面
K=-0.095,A4=3.52958e-03,A6=1.43329e-03,A8=-3.48716e-04
第12面
K=-0.216
第13面
K=-0.637,A4=4.61435e-04,A6=-1.26973e-04,A8=-1.09864e-06
各種データ
ズーム比       2.838
広角     中間      望遠
焦点距離       4.538     7.640    12.880
ＦＮＯ．       3.339     4.651     5.209
画角２ω      72.624    42.356    24.646
像高           2.900     2.900     2.900
BＦ           2.364     2.306     2.176
レンズ全長     13.369    13.374    13.368 
物点距離        ∞        ∞        ∞
D3           4.526     2.251     0.195 
D9           0.863     0.766     4.061 
D11          1.028     3.465     2.347 
D13          1.714     1.655     1.526 
絞り径         1.000     1.000     1.250
入射瞳位置      3.512     2.608     1.385
射出瞳位置     -5.255   -15.770   -27.703
前側主点位置     5.348     7.018     8.713
後側主点位置    -4.136    -7.241   -12.480
レンズ   始面     焦点距離
L11      1       -4.053
L12      2        8.631
L21      4        3.053
L22      7        6.186
L23      8       -2.633
L3      10      -14.103
L4      12        9.329
ズームレンズ群データ
群  始面   群焦点距離   群構成長  前側主点位置  後側主点位置
G1    1     -7.490        0.967        0.314      -0.247
G2    4      4.036        2.237       -1.225      -1.943
G3   10    -14.103        0.401        0.251      -0.001
G4   12      9.329        0.982        1.026       0.547
群倍率
広角      中間      望遠
G1       0.000     0.000     0.000
G2      -0.576    -0.854    -1.511
G3       1.306     1.472     1.379
G4       0.805     0.812     0.825
G5       1.000     1.000     1.000
【０１２０】
数値実施例７
面データ
単位  mm
面番           r           d          nd        vd      有効径
物面           ∞         ∞
1*       -20.6604     0.6681     1.69350    53.21     2.556
2*         6.2554       D2                            2.275
3*         2.8735     1.2776     1.77377    47.17     1.550
4        -41.3684     0.5180     1.79491    25.63     1.357
5*        10.6571     0.5000                          1.208
6(絞り)      ∞       0.1965                          (可変) 
7*         7.5874     0.8263     1.76802    49.24     1.136
8*       -21.6754       D8                            1.217
9*       279.5342     0.3790     1.82114    24.06     1.225
10*         3.4792       D10                           1.229
11*        -7.1348     0.9360     1.79491    25.63     2.746
12*        -3.7927     1.3721                          2.868
13            ∞       0.4000     1.51633    64.14     2.972
14            ∞       0.4000                          2.983
像面           ∞
非球面データ
第1面
K=-28.194,A4=-9.53942e-03,A6=1.14164e-03,A8=-5.01129e-05
第2面
K=-0.224,A4=-9.75476e-03,A6=1.35826e-03,A8=-4.78131e-05
第3面
K=0.624,A4=-1.58057e-03,A6=-1.23052e-04,A8=7.62687e-06
第5面
K=44.632,A4=5.76135e-04,A6=1.26800e-03,A8=-7.09871e-05
第7面
K=-1.283,A4=-2.54498e-02,A6=-2.93083e-03,A8=-1.21006e-03
第8面
K=44.767,A4=-2.16942e-02,A6=-2.05558e-03,A8=-1.25759e-05
第9面
K=-560206.977
第10面
K=-0.582,A4=7.46329e-03,A6=1.55863e-03,A8=-8.04564e-04
第11面
K=-4.214
第12面
K=-0.006,A4=4.15000e-03,A6=-2.49039e-05,A8=-2.17406e-05,A10=2.21954e-06
各種データ
ズーム比       2.816
広角     中間      望遠
焦点距離       4.574     7.639    12.879
ＦＮＯ．       3.228     3.726     5.123
画角２ω      70.712    41.233    24.715
像高           2.900     2.900     2.900
BＦ           2.036     2.036     2.036
レンズ全長     13.864    13.864    13.864 
物点距離        ∞        ∞        ∞
D2           4.476     2.312     0.201 
D8           0.611     0.650     1.363 
D10          1.439     3.564     4.963 
絞り径         0.900     1.100     1.100
入射瞳位置      3.777     3.155     2.278
射出瞳位置     -5.287   -14.748   -40.735
前側主点位置     5.494     7.317    11.279
後側主点位置    -4.174    -7.239   -12.479
レンズ   始面     焦点距離
L1       1       -6.854
L21      3        3.517
L22      4      -10.614
L23      7        7.409
L3       9       -4.293
L4      11        9.062
ズームレンズ群データ
群   始面   群焦点距離   群構成長  前側主点位置  後側主点位置
G1    1      -6.854        0.668       0.300      -0.091
G2    3       3.459        3.318       0.621      -1.898
G3    9      -4.293        0.379       0.211       0.003
G4   11       9.062        2.708       0.990      -1.109
群倍率
広角      中間      望遠
G1       0.000     0.000     0.000
G2      -0.403    -0.539    -0.803
G3       1.987     2.482     2.808
G4       0.833     0.833     0.833
【０１２１】
数値実施例８
面データ
単位  mm
面番           r           d          nd        vd     有効径
物面           ∞         ∞
1*       -23.8081     0.4000     1.90270    31.00    1.764
2*         2.2994     0.3419                         1.467
3*         2.8941     0.4964     2.10223    16.77    1.475
4*         5.3026       D4                           1.420
5*         2.1625     0.8676     1.76802    49.24    1.201
6*        -6.2445     0.1994                         1.091
7(絞り)      ∞       0.0000                         (可変) 
8*         6.5304     0.5563     1.49700    81.54    0.943
9        -11.0440     0.4000     2.10223    16.77    0.864
10*         6.7381       D10                          0.803
11*        -4.9986     0.4000     1.53071    55.67    0.915
12*         6.1075       D12                          1.016
13*        -4.3703     0.6790     2.10223    16.77    2.225
14*        -2.6586     0.3758                         2.242
15            ∞       0.3000     1.51633    64.14    2.270
16            ∞       0.3500                         2.276
像面           ∞
非球面データ
第1面
K=-10.000,A4=4.48967e-03,A6=-2.58325e-03,A8=2.70892e-04
第2面
K=0.528,A4=-1.10216e-02,A6=6.00177e-03,A8=-3.60751e-03
第3面
K=-1.683,A4=-1.62024e-02,A6=1.06888e-02,A8=-2.57278e-03
第4面
K=-10.000,A4=-1.24411e-02,A6=6.03283e-03,A8=-1.54408e-03
第5面
K=-0.330,A4=-6.66268e-03,A6=-7.36472e-04,A8=2.13320e-03
第6面
K=3.642,A4=2.02813e-02,A6=5.86325e-03,A8=-1.69631e-03
第8面
K=-7.584,A4=6.35851e-02,A6=3.93734e-02,A8=-1.23472e-02
第10面
K=-10.000,A4=5.93583e-02,A6=2.28767e-02,A8=3.08419e-02
第11面
K=-9.807,A4=2.12775e-02,A6=-4.53840e-02,A8=-2.43365e-03
第12面
K=-0.858,A4=5.63611e-02,A6=-5.02019e-02,A8=8.82711e-03
第13面
K=1.905,A4=1.75077e-02,A6=1.42222e-03
第14面
K=0.102,A4=2.50940e-02,A6=-3.51630e-04,A8=3.23344e-04
各種データ
ズーム比       2.800
広角     中間      望遠
焦点距離       2.912     4.629     8.154
ＦＮＯ．       3.500     4.729     4.800
画角２ω      84.169    52.256    29.967
像高           2.250     2.250     2.250
BＦ           0.924     0.924     0.924
レンズ全長      9.998     9.998     9.998 
物点距離        ∞        ∞        ∞
D4           2.912     1.582     0.100 
D10          0.297     0.260     1.135 
D12          1.525     2.891     3.499 
絞り径         0.651     0.651     0.954
入射瞳位置      2.300     1.927     1.315
射出瞳位置     -7.694   -35.857    54.178
前側主点位置     4.231     5.973    10.717
後側主点位置    -2.532    -4.291    -7.820
レンズ   始面     焦点距離
L11      1       -2.306
L12      3        5.217
L21      5        2.190
L22      8        8.345
L23      9       -3.752
L3      11       -5.116
L4      13        5.098
ズームレンズ群データ
群  始面   群焦点距離   群構成長  前側主点位置  後側主点位置
G1    1     -4.287        1.238        0.105      -0.663
G2    5      2.446        2.023       -0.336      -1.340
G3   11     -5.116        0.400        0.116      -0.142
G4   13      5.098        0.679        0.683       0.415
群倍率
広角      中間      望遠
G1       0.000     0.000     0.000
G2      -0.482    -0.652    -1.079
G3       1.577     1.834     1.952
G4       0.894     0.903     0.903
【０１２２】
数値実施例９
面データ
単位  mm
面番           r           d          nd        vd     有効径
物面           ∞         ∞
1*        10.1679     0.4000     1.77377    47.17    1.804
2*         1.8406     0.3689                         1.449
3*         2.4091     0.5290     1.70000    15.00    1.449
4*         3.3582       D4                           1.400
5*         2.0501     0.7343     1.76802    49.24    1.149
6*       -27.4479     0.1994                         1.049
7(絞り)      ∞       0.0000                         (可変) 
8*         4.4431     0.5434     1.49700    81.54    0.931
9         -4.9922     0.4000     1.70000    15.00    0.888
10*        27.3397       D10                          0.846
11*        -2.0238     0.4000     1.53071    55.67    0.868
12*       -24.7934       D12                          0.946
13*        -4.1717     0.8192     1.70000    15.00    2.139
14*        -2.5605     0.5342                         2.223
15            ∞       0.3000     1.51633    64.14    2.258
16            ∞       0.3500                         2.263
像面           ∞
非球面データ
第1面
K=-2.968,A4=1.54293e-02,A6=-8.65844e-03,A8=8.28284e-04
第2面
K=0.002,A4=8.96390e-03,A6=-1.08004e-03,A8=-5.17338e-03
第3面
K=-0.982,A4=-4.16429e-02,A6=1.42120e-03
第4面
K=-4.286,A4=-4.16742e-02,A6=-2.66315e-03,A8=1.91253e-03
第5面
K=-0.227,A4=1.02517e-03,A6=8.62020e-04,A8=2.01632e-03
第6面
K=-9.886,A4=-7.92533e-03,A6=1.68283e-02,A8=-4.56115e-03
第8面
K=-3.826,A4=-2.05536e-02,A6=3.91404e-02,A8=-1.54510e-02
第10面
K=-9.474,A4=4.13517e-02,A6=1.51235e-02,A8=2.94491e-02
第11面
K=-9.859,A4=6.25595e-02,A6=-1.76258e-02,A8=-5.16373e-02
第12面
K=-10.000,A4=2.13359e-01,A6=-9.44745e-02,A8=9.69920e-04
第13面
K=2.062,A4=1.88493e-02,A6=1.42105e-03
第14面
K=0.080,A4=2.24501e-02,A6=-5.53882e-04,A8=3.18452e-04
各種データ
ズーム比       2.795
広角     中間      望遠
焦点距離       2.917     4.633     8.154
ＦＮＯ．       3.500     4.662     4.800
画角２ω      84.108    52.711    30.750
像高           2.250     2.250     2.250
BＦ１.082     1.082     1.082
レンズ全長      9.998     9.998     9.998 
物点距離        ∞        ∞        ∞
D4           2.873     1.548     0.100 
D10          0.240     0.227     0.840 
D12          1.408     2.746     3.581 
絞り径         0.665     0.665     0.937
入射瞳位置      2.457     2.069     1.428
射出瞳位置     -5.371   -11.293   -24.106
前側主点位置     4.062     4.966     6.940
後側主点位置    -2.533    -4.299    -7.825
レンズ   始面     焦点距離
L11      1       -2.967
L12      3        9.905
L21      5        2.511
L22      8        4.822
L23      9       -6.000
L3      11       -4.178
L4      13        7.831
ズームレンズ群データ
群    始面    群焦点距離    群構成長   前側主点位置   後側主点位置
G1     1       -4.046        1.298        0.414        -0.453
G2     5        2.234        1.877        0.026        -1.159
G3    11       -4.178        0.400       -0.023        -0.286
G4    13        7.831        0.819        1.032         0.633
群倍率
広角      中間      望遠
G1       0.000     0.000     0.000
G2      -0.433    -0.582    -0.935
G3       1.776     2.083     2.281
G4       0.938     0.945     0.945
【０１２３】
次に、上記条件式（１）〜条件式（８）における上記実施例１（数値実施例１）〜実施例９（数値実施例９）のとる値を示す。
【０１２４】
各条件式における実施例のとる値
条件式(1)  条件式(2)  条件式(5)  条件式(6)  条件式(3)(8)  条件式(4)(7)
実施例１    0.50       0.90       1.10       1.98        -0.40         0.027
実施例２    0.50       0.92       1.10       2.01        -0.35         0.027
実施例３    0.53       0.96       1.40       2.53        -0.01         0.023
実施例４    0.50       0.91       1.32       2.41        -0.06         0.023
実施例５    0.44       0.94       1.17       2.48        -0.23         0.022
実施例６    0.53       0.98       1.39       2.58         0.01         0.023
実施例７    0.45       0.89       1.19       2.36        -1.30         0.019
実施例８    0.50       0.88       1.09       1.91        -0.51         0.047
実施例９    0.46       0.83       0.99       1.80        -0.86         0.054
【０１２５】
以上のような本発明による変倍光学系は、変倍光学系により形成された物体像をＣＣＤなどの撮像素子に結像させることによって撮影を行う撮影装置、例えばデジタルカメラやビデオカメラに用いることができる。以下にその具体例を示す。
【０１２６】
図３１、図３２及び図３３は、本発明を用いたデジタルカメラの構成を示す概念図であって、図３１はデジタルカメラの外観を示す前方斜視図であり、図３２は同後方斜視図であり、図３３はデジタルカメラの構成を模式的に示した透視図である。
【０１２７】
デジタルカメラは、前面に、撮影用開口部１，ファインダー用開口部２，フラッシュ発光部３が設けられている。また、上部にシャッターボタン４が設けられている。また、背面に、液晶表示モニター５，情報入力部６が設けられている。また、デジタルカメラの内部には、変倍光学系７，処理手段８，記録手段９，ファインダー光学系１０を備えている。また、ファインダー用開口部２や、ファインダー光学系１０の射出側であってデジタルカメラの背面に設けられている開口部１１には、カバー部材１２が配置されている。また、撮影用開口部１にもカバー部材１３が配置されている。
【０１２８】
デジタルカメラの上部に配置されたシャッターボタン４を押圧すると、それに連動して変倍光学系７、例えば本発明の実施例１に記載されているような変倍光学系を通して撮影が行われる。物体像は、変倍光学系７、カバーガラスＣＧを介して固体撮像素子であるＣＣＤ７ａの結像面上に形成される。このＣＣＤ７ａの結像面上に結像された物体像の画像情報は、処理手段８を介して記録手段９に記録される。また、記録された画像情報は、処理手段８によって取り出され、電子画像としてカメラ背面に設けられた液晶表示モニター５に表示することもできる。
【０１２９】
また、ファインダー光学系１０は、ファインダー用対物光学系１０ａと、正立プリズム１０ｂと、接眼光学系１０ｃとにより構成されている。ファインダー用開口部２から入射する被写体からの光は、ファインダー用対物光学径１０ａにより、像正立部材である正立プリズム１０ｂに導かれ、物体像を視野枠１０ｂ1内に正立正像として結像し、その後、その物体像が接眼光学系１０ｃにより観察者の眼Ｅに導かれる。
【０１３０】
このように構成されたデジタルカメラは、変倍光学系７が、高倍率比を有し小型であるので、良好な性能を確保するとともにデジタルカメラの小型化を実現することができる。
【符号の説明】
【０１３１】
Ｇ１          第１レンズ群
Ｇ２          第２レンズ群
Ｇ３          第３レンズ群
Ｇ４          第４レンズ群
Ｌ１，Ｌ１１，Ｌ１２，Ｌ２１，Ｌ２２，Ｌ２３，Ｌ３，Ｌ４        レンズ要素
Ｌｃ          光軸
Ｓ            開口絞り
ＣＧ          カバーガラス
ＩＭ          撮像面
Ｅ            観察者の眼球
１            撮影用開口部
２            ファインダー用開口部
３            フラッシュ発光部
４            シャッターボタン
５            液晶表示モニター
６            情報入力部
７            変倍光学系
７ａ          ＣＣＤ
８            処理手段
９            記録手段
１０          ファインダー光学系
１０ａ        ファインダー用対物光学系
１０ｂ        正立プリズム
１０ｂ1        視野枠
１０ｃ        接眼光学系
１１          開口部
１２，１３    カバー部材
【図１】
0005457750.tif 000002
【図２】
0005457750.tif 000003
【図３】
0005457750.tif 000004
【図４】
0005457750.tif 000005
【図５】
0005457750.tif 000006
【図６】
0005457750.tif 000007
【図７】
0005457750.tif 000008
【図８】
0005457750.tif 000009
【図９】
0005457750.tif 000010
【図１０】
0005457750.tif 000011
【図１１】
0005457750.tif 000012
【図１２】
0005457750.tif 000013
【図１３】
0005457750.tif 000014
【図１４】
0005457750.tif 000015
【図１５】
0005457750.tif 000016
【図１６】
0005457750.tif 000017
【図１７】
0005457750.tif 000018
【図１８】
0005457750.tif 000019
【図１９】
0005457750.tif 000020
【図２０】
0005457750.tif 000021
【図２１】
0005457750.tif 000022
【図２２】
0005457750.tif 000023
【図２３】
0005457750.tif 000024
【図２４】
0005457750.tif 000025
【図２５】
0005457750.tif 000026
【図２６】
0005457750.tif 000027
【図２７】
0005457750.tif 000028
【図２８】
0005457750.tif 000029
【図２９】
0005457750.tif 000030
【図３０】
0005457750.tif 000031
【図３１】
0005457750.tif 000032
【図３２】
0005457750.tif 000033
【図３３】
0005457750.tif 000034